(57)【要約】【課題】ＩｏＴデバイスとの設定を行う場合の作業性の向上を図ることが可能な画像形成装置及びプログラムを提供する。【解決手段】ドキュメントＤ１には、照明装置のシリアル番号「ａａａｂｂ１」のドキュメント画像Ｄ１ａが記載される。ドキュメントＤ２には、空調装置のシリアル番号「ａａａｂｂ２」のドキュメント画像Ｄ２ａが記載され、ドキュメントＤ３には、温度センサのシリアル番号「ｄｄｅｅ」のドキュメント画像Ｄ３ａが記載され、ドキュメントＤ４には、湿度センサのシリアル番号「ｆｇ」のドキュメント画像Ｄ４ａが記載されている。ドキュメントＤ１〜Ｄ４を自動原稿送り装置２０９にセットし、各ドキュメント画像Ｄ１ａ〜Ｄ４ａを画像読み取り部２０８で順次読み取って画像処理を行い、「ａａａｂｂ１」、「ａａａｂｂ２」、「ｄｄｅｅ」、「ｆｇ」の各データを取得し、管理テーブルとして記憶部に記憶する。【選択図】図４
2018037976.tif 000002
【特許請求の範囲】
【請求項１】
ＩｏＴデバイスの情報が記載された記録媒体から当該情報を読み取る読取り手段と、
前記読取り手段により読み取られる前記情報から前記ＩｏＴデバイスを特定する特定情報を取得する取得手段と、
前記取得手段により取得された前記特定情報を用いて、前記ＩｏＴデバイスとの関連付けの設定を行う設定手段と、
を含むことを特徴とする画像形成装置。
【請求項２】
前記設定手段は、前記特定情報を管理装置に送信し、当該管理装置から前記ＩｏＴデバイスの位置情報を受信する、ことを特徴とする請求項１に記載の画像形成装置。
【請求項３】
前記ＩｏＴデバイスの位置情報は、ネットワーク上の位置情報と物理的な位置情報の少なくとも一方である、ことを特徴とする請求項２に記載の画像形成装置。
【請求項４】
前記設定手段により行われる設定の内容を記録材に画像形成する画像形成手段をさらに含む、ことを特徴とする請求項１に記載の画像形成装置。
【請求項５】
ＩｏＴデバイスの情報が記載された記録媒体から当該情報を読み取る読取り手段を備える画像形成装置のコンピュータに、
前記読取り手段により読み取られる前記情報から前記ＩｏＴデバイスを特定する特定情報を取得する取得機能と、
前記取得機能により取得された前記特定情報を用いて、前記ＩｏＴデバイスとの関連付けの設定を行う設定機能と、
を実現させることを特徴とするプログラム。
【発明の詳細な説明】
【技術分野】
【０００１】
本発明は、画像形成装置及びプログラムに関するものである。
【背景技術】
【０００２】
例えば、特許文献１は、周辺機器等の機器に関する情報と当該機器を制御するためのドライバに関する情報とを対応付けて記憶する機種情報記憶手段と、ネットワークに接続された機器との間で、当該機器を識別するための機器固有情報を収集する収集手段と、前記収集手段により収集された機器固有情報によって特定される機器に対応するドライバに関する情報を前記機種情報記憶手段から読み出す照合手段と、前記照合手段により読み出されたドライバに関する情報を参照して、前記ネットワークに接続された機器のドライバを組み込むインストール手段と、を備える複合機ユニットを開示している。
【先行技術文献】
【特許文献】
【０００３】
【特許文献１】特開２００７−２５７１２４号公報
【発明の概要】
【発明が解決しようとする課題】
【０００４】
本発明は、ＩｏＴデバイスとの設定を行う場合の作業性の向上を図ることが可能な画像形成装置及びプログラムを提供することを目的とする。
【課題を解決するための手段】
【０００５】
請求項１に記載の発明は、ＩｏＴデバイスの情報が記載された記録媒体から当該情報を読み取る読取り手段と、前記読取り手段により読み取られる前記情報から前記ＩｏＴデバイスを特定する特定情報を取得する取得手段と、前記取得手段により取得された前記特定情報を用いて、前記ＩｏＴデバイスとの関連付けの設定を行う設定手段と、を含むことを特徴とする画像形成装置である。
請求項２に記載の発明は、前記設定手段は、前記特定情報を管理装置に送信し、当該管理装置から前記ＩｏＴデバイスの位置情報を受信する、ことを特徴とする請求項１に記載の画像形成装置である。
請求項３に記載の発明は、前記ＩｏＴデバイスの位置情報は、ネットワーク上の位置情報と物理的な位置情報の少なくとも一方である、ことを特徴とする請求項２に記載の画像形成装置である。
請求項４に記載の発明は、前記設定手段により行われる設定の内容を記録材に画像形成する画像形成手段をさらに含む、ことを特徴とする請求項１に記載の画像形成装置である。
請求項５に記載の発明は、ＩｏＴデバイスの情報が記載された記録媒体から当該情報を読み取る読取り手段を備える画像形成装置のコンピュータに、前記読取り手段により読み取られる前記情報から前記ＩｏＴデバイスを特定する特定情報を取得する取得機能と、前記取得機能により取得された前記特定情報を用いて、前記ＩｏＴデバイスとの関連付けの設定を行う設定機能と、を実現させることを特徴とするプログラムである。
【発明の効果】
【０００６】
請求項１によれば、設定手段を備えない場合に比べ、ＩｏＴデバイスとの設定を行う場合の作業性の向上を図ることが可能になる。
請求項２によれば、設定手段を備えない場合に比べ、ＩｏＴデバイスの位置を簡単に設定することが可能になる。
請求項３によれば、設定手段を備えない場合に比べ、ＩｏＴデバイスのネットワーク上の位置または物理的な位置を簡単に設定することが可能になる。
請求項４によれば、設定の内容を画像形成する画像形成手段を備えない場合に比べ、設定結果を確認することが可能になる。
請求項５によれば、設定機能を備えない場合に比べ、ＩｏＴデバイスとの設定を行う場合の作業性の向上を図ることが可能になる。
【図面の簡単な説明】
【０００７】
【図１】オフィス環境管理システムの全体構成を示した図である。
【図２】画像形成装置のハードウエアの構成を示した図である。
【図３】画像形成装置のＣＰＵ等により実現される各機能部を示した図である。
【図４】ドキュメントに記載されている情報の読み取りを行う場合を説明する図である。
【図５】記憶部に記憶される管理テーブル例を説明する図であり、（ａ）は画像処理部により取得したシリアル番号が受け付けられた場合を示し、（ｂ）は（ａ）の状態からさらに追加の情報が受け付けられた場合を示す。
【図６】画像形成装置により記録材に出力されたレポート例を示す図である。
【発明を実施するための形態】
【０００８】
以下、添付図面を参照して、本発明の実施の形態について詳細に説明する。
図１は、オフィス環境管理システム１の全体構成を示した図である。
図１に示すオフィス環境管理システム１には、クラウド上に設置された管理装置の一例としての管理サーバ１０と、この管理サーバ１０に接続されゲートウエイやエッジサーバとしての機能を果たす形成装置２００と、が設けられている。
画像形成装置２００は、ユーザが作業する居室内（オフィス内）に設置されている。また、画像形成装置２００は、画像を形成する機能の他、ファクシミリ機能やスキャナ機能を有する。
【０００９】
また、オフィス環境管理システム１には、画像形成装置２００を介して管理サーバ１０に接続され、管理サーバ１０から出力される制御情報により制御される複数の被制御装置３０が設けられている。さらに、本実施形態のオフィス環境管理システム１では、居室内に複数設置され、自身の周囲の状況を把握する複数の状況把握装置５０が設けられている。
被制御装置３０および状況把握装置５０は、通信により管理サーバ１０と接続可能な被接続装置である。被制御装置３０および状況把握装置５０は、管理サーバ１０により一意に識別可能であり、また、被制御装置３０は情報交換可能である。
より詳細には、被制御装置３０および状況把握装置５０は、インターネットにつながるデバイスであり、ＩｏＴ（Internet of Things）に用いられる装置ないし端末装置である。被制御装置３０および状況把握装置５０は、ＩｏＴデバイスの一例である。
【００１０】
被制御装置３０は、画像形成装置２００と通信を行い、画像形成装置２００からの制御信号を受信する。本実施形態では、被制御装置３０として、照明装置３１、ブラインド装置３２、加湿器３３、掃除装置３４および空調装置３５が設けられている。
照明装置３１は、光源を有し、管理サーバ１０からの制御信号に応じて、光源を点灯させあるいは光源を消灯する。
ブラインド装置３２は、ブラインドおよびこのブラインドの状態を変化させる駆動機構を有し、管理サーバ１０からの制御信号に応じて、ブラインドの状態を変化させる。これにより、居室内へ入る外光の量が変化する。
【００１１】
加湿器３３は、水を蒸発させる機構を有し、管理サーバ１０からの制御信号に応じて、居室内の加湿を行う。
掃除装置３４は、オフィス内のごみを吸引する吸引機構を有し、管理サーバ１０からの制御信号に応じて、居室内を移動して居室内のごみを収集する。
空調装置３５は、加熱源などを有し、管理サーバ１０からの制御信号に応じて、オフィス内の空調を制御する。
【００１２】
また、本実施形態では、状況把握装置５０として、各種のセンサが設けられている。
具体的には、本実施形態では、温度を測定する温度センサ５１、湿度を測定する湿度センサ５２、照度を測定する照度センサ５３が設けられている。また、赤外線センサなどにより構成され、居室内の人を検出する人感センサ５４が設けられている。
なお、本実施形態では、状況把握装置５０としてセンサを設けた場合を一例に説明するが、状況把握装置５０としては、その他に、監視カメラなどが挙げられる。
【００１３】
状況把握装置５０の各々は、無線通信や有線通信を用い（画像形成装置２００と通信を行い）、取得した情報（以下、「状況情報」と称することがある）を画像形成装置２００に送信する。そして、画像形成装置２００は、状況把握装置５０からの状況情報を、管理サーバ１０（オフィス環境管理サービスを提供するサービス会社のサーバ）に送信する。
さらに、このオフィス環境管理システム１では、管理サーバ１０から、被制御装置３０の制御に用いられる制御情報が、画像形成装置２００に送信される。そして、画像形成装置２００は、この制御情報を、対応する被制御装置３０に送信する。
【００１４】
図２は、画像形成装置２００のハードウエアの構成を示した図である。
図２に示すように、画像形成装置２００は、ＣＰＵ（Central Processing Unit）２０１、ＲＡＭ（Random Access Memory）２０２、ＲＯＭ（Read Only Memory）２０３および磁気記憶装置２０４を備える。さらに、画像形成装置２００は、外部との通信を行うための通信インタフェース（通信Ｉ／Ｆ）２０５を備える。
【００１５】
さらに、画像形成装置２００は、ＵＩ２０６、画像形成部２０７を備える。
ＵＩ２０６は、例えば、タッチパネル方式のディスプレイにより構成され、ユーザへの情報の表示を行うとともに、ユーザからの操作を受け付ける。
画像形成手段の一例としての画像形成部２０７は、電子写真方式やインクジェットヘッド方式などを用い、記録材の一例である用紙への画像形成を行う。
【００１６】
さらに、画像形成装置２００は、読取り手段の一例としての画像読み取り部２０８および自動原稿送り装置２０９を備える。
画像読み取り部２０８は、いわゆるスキャナ装置により構成され、読取り位置にあるセットされた原稿の画像を光学的に読み取り、読み取り画像（画像データ）を生成する。なお、画像読み取り部２０８をカメラ装置で構成することも考えられる。
また、自動原稿送り装置２０９は、画像読み取り部２０８の読み取り位置まで原稿を搬送する。
【００１７】
ＲＯＭ２０３、磁気記憶装置２０４は、ＣＰＵ２０１により実行されるプログラムを記憶する。ＣＰＵ２０１は、ＲＯＭ２０３や磁気記憶装置２０４に記憶されているプログラムを読み出し、ＲＡＭ２０２を作業エリアにしてプログラムを実行する。
ＣＰＵ２０１により、ＲＯＭ２０３や磁気記憶装置２０４に格納されたプログラムが実行されることで、後述する各機能部が実現される。
【００１８】
ここで、ＣＰＵ２０１によって実行されるプログラムは、磁気記録媒体（磁気テープ、磁気ディスクなど）や光記録媒体（光ディスクなど）、光磁気記録媒体、半導体メモリなどのコンピュータが読取可能な記録媒体に記憶した状態で、画像形成装置２００へ提供しうる。また、ＣＰＵ２０１によって実行されるプログラムは、インターネットなどの通信手段を用いて画像形成装置２００へダウンロードしてもよい。
【００１９】
図３は、画像形成装置２００のＣＰＵ２０１等により実現される各機能部を示した図である。
本実施形態の画像形成装置２００では、図３に示すように、取得手段の一例としての送受信部２２１が設けられている。この送受信部２２１は、情報の送受信に関するプログラムを実行するＣＰＵ２０１および通信Ｉ／Ｆ２０５により実現される。
【００２０】
送受信部２２１は、管理サーバ１０から制御情報を受信する。さらに、受信したこの制御情報を被制御装置３０へ送信する。また、送受信部２２１は、被制御装置３０からの情報を、被制御装置３０から受信（取得）する。さらに、送受信部２２１は、被制御装置３０からのこの情報を管理サーバ１０へ送信する。
また、送受信部２２１は、状況把握装置５０から出力された情報（状況情報を含んだ情報）を状況把握装置５０から受信（取得）する。さらに、送受信部２２１は、状況把握装置５０から受信したこの情報を、管理サーバ１０へ送信する。
【００２１】
また、図３に示すように、画像形成装置２００は、出力部２２２を備える。
出力手段の一例としてのこの出力部２２２は、出力に関するプログラムを実行するＣＰＵ２０１により実現される。
出力部２２２は、送受信部２２１により取得された被制御装置３０についての情報や、送受信部２２１により取得された状況把握装置５０についての情報を出力する。また、出力部２２２は、被制御装置３０、状況把握装置５０についての情報のみではなく、管理サーバ１０についての情報も出力する。
具体的には、出力部２２２は、表示部２２４に情報を表示したり、画像形成部２０７（図２参照）を用いて用紙に情報を印字して出力したり、情報をメール送信したりする。
【００２２】
また、画像形成装置２００は、操作受け付け部２２３、表示部２２４、記憶部２２５を備える。
操作受け付け部２２３は、例えば、操作受け付けに関するプログラムを実行するＣＰＵ２０１（図２参照）、および、ＵＩ２０６により実現される。操作受け付け部２２３は、居室内のユーザにより入力される情報を受け付ける。
表示部２２４は、ＵＩ２０６（図２参照）により構成され、居室内のユーザに情報を表示する。
記憶部２２５は、磁気記憶装置２０４（図２参照）などにより構成され、情報ないしデータを記憶する。
【００２３】
また、図３に示すように、画像形成装置２００は、取得手段の一例としての画像処理部２２６、および設定手段の一例としての接続設定部２２７を備える。
画像処理部２２６は、画像読み取り部２０８により読み取られた画像について、画像処理例えば光学文字認識処理を施し、例えばシリアル番号等のデータを取得する。このように取得されたデータは、上述の記憶部２２５に記憶される。そして、かかるデータを基に、送受信部２２１が被制御装置３０や状況把握装置５０を特定する特定情報を取得する。かかる特定情報の取得は、例えば管理サーバ１０により可能であり、また、他のサーバから取得する態様も考えられる。このように、本実施の形態では、特定情報の取得は、画像処理部２２６および送受信部２２１により実現される。
そして、接続設定部２２７は、画像処理部２２６により取得したデータを用いて、被制御装置３０や状況把握装置５０との関連付けの設定を行う。より具体的には、接続設定部２２７は、後述の管理テーブル（図５（ｂ）参照）を作成し、作成した管理テーブルを記憶部２２５に記憶する。
【００２４】
次に、被制御装置３０および状況把握装置５０を、図１に示すオフィス環境管理サービスを実現するために画像形成装置２００に登録する場面について説明する。本実施の形態における画像形成装置２００への登録は、登録する被制御装置３０および状況把握装置５０に対応するドキュメントの記載内容を、画像形成装置２００の画像読み取り部２０８（例えば図２参照）により読み取ることで行われる。
より詳細には、ここにいうドキュメントとしては、例えば、製品カタログや取扱説明書、製品を収容する収容箱等をいい、また、収容箱に同封されている同封用紙も含まれ、さらに、製品カタログ等に貼付されているシールも含まれる。また、ドキュメントとして、製品購入時に付いてくる付属用紙ではなく、別の用意された用紙とすることも考えられる。
かかるドキュメントには、被制御装置３０ないし状況把握装置５０を一意に特定するための情報である識別情報を含むドキュメント画像が表示されている。かかる識別情報としては、例えばシリアル番号やＭＡＣアドレス等の個体識別情報である。
そして、ドキュメントのドキュメント画像が、画像形成装置２００の画像読み取り部２０８により読み取られることにより、画像形成装置２００は、登録すべき被制御装置３０ないし状況把握装置５０の識別情報を取得することができる。
以下説明する。
【００２５】
図４は、ドキュメントＤ１，Ｄ２，Ｄ３，Ｄ４に記載されている情報の読み取りを行う場合を説明する図である。ドキュメントＤ１〜Ｄ４は記録媒体の一例である。
図４に示すドキュメントＤ１〜Ｄ４は、被制御装置３０または状況把握装置５０のいずれかに対応するものである。本実施の形態では、かかるドキュメントＤ１〜Ｄ４が収容箱に同封されている同封用紙の場合で説明するが、他の形式のドキュメントでもよい。
本実施の形態では、ドキュメントＤ１は、照明装置３１（図１参照）に対応するものであり、ドキュメントＤ２は、空調装置３５（同図参照）に対応するものである。また、ドキュメントＤ３は温度センサ５１（同図参照）に対応し、ドキュメントＤ４は湿度センサ５２（同図参照）に対応する。なお、他の被制御装置３０および状況把握装置５０についても同様に行うことができる。
【００２６】
そして、ドキュメントＤ１には、照明装置３１の識別情報であるシリアル番号「ａａａｂｂ１」を含むドキュメント画像Ｄ１ａが記載されている。ドキュメントＤ２には、空調装置３５のシリアル番号「ａａａｂｂ２」を含むドキュメント画像Ｄ２ａが記載されている。
また、ドキュメントＤ３には、温度センサ５１のシリアル番号「ｄｄｅｅ」を含むドキュメント画像Ｄ３ａが記載され、ドキュメントＤ４には、湿度センサ５２のシリアル番号「ｆｇ」を含むドキュメント画像Ｄ４ａが記載されている。
なお、本実施の形態では、ドキュメント画像Ｄ１ａ〜Ｄ４ａに識別情報として文字情報が含まれる場合を説明するが、これに限られず、画像情報例えばバーコード（例えば二次元バーコードとしてのＱＲコード（登録商標））を識別情報とすることも考えられる。
【００２７】
本実施の形態では、ドキュメントＤ１〜Ｄ４におけるドキュメント画像Ｄ１ａ〜Ｄ４ａを画像読み取り部２０８で読み取る際、自動原稿送り装置２０９を用いる。すなわち、登録しようとする同封用紙のドキュメントＤ１〜Ｄ４を自動原稿送り装置２０９にセットすることで、自動原稿送り装置２０９によりドキュメントＤ１〜Ｄ４が順次読み取り位置に搬送されることで、ドキュメント画像Ｄ１ａ〜Ｄ４ａが画像読み取り部２０８により読み取られる。
【００２８】
こうして読み取られたドキュメント画像Ｄ１ａ〜Ｄ４ａに対して、画像処理部２２６（図３参照）による画像処理が行われる。これにより、画像形成装置２００は、ドキュメント画像Ｄ１ａに含まれるシリアル番号「ａａａｂｂ１」のデータを取得する。同様に、画像形成装置２００は、ドキュメント画像Ｄ２ａに含まれるシリアル番号「ａａａｂｂ２」、ドキュメント画像Ｄ３ａに含まれるシリアル番号「ｄｄｅｅ」、およびドキュメント画像Ｄ４ａに含まれるシリアル番号「ｆｇ」の各データを取得する。取得した各データは、記憶部２２５（図３参照）に記憶される。
【００２９】
なお、画像読み取り部２０８がスキャナ装置である場合を説明したが、上述したようにカメラ装置である場合もあり、その場合には、撮影した画像からデータを取得することになる。付言すると、このように画像からデータを取得することから、データの種類は問わず、記号や番号のほか、文字等を含ませることができ、その場合には、母国語には限定されず、非母国語のデータであっても登録作業が可能である。
【００３０】
このように、画像読み取り部２０８（図２または図４参照）および画像処理部２２６（図３参照）により、登録しようとする被制御装置３０または状況把握装置５０のシリアル番号を一括して入力する作業性を向上させることができる。また、その際、自動原稿送り装置２０９を用いることで作業負担が軽減される。
なお、作業性の向上という観点からは、作業者による文字入力作業を省略することが好ましいが、画像読み取り部２０８および画像処理部２２６による登録作業を補完する文字入力作業を作業者が行うようにする場合も考えられる。
【００３１】
図５は、記憶部２２５に記憶される管理テーブル例を説明する図であり、（ａ）は画像処理部２２６により取得したシリアル番号が受け付けられた場合を示し、（ｂ）は（ａ）の状態からさらに追加の情報が受け付けられた場合を示す。
図５（ａ）に示す管理テーブルには、管理番号およびシリアル番号が格納されている。すなわち、画像処理部２２６によるシリアル番号が、取得された順に管理番号が付与されている。
なお、図５（ａ）の管理テーブルには、未だネットワーク上の位置および装置の種類が格納されていない。
【００３２】
その一方で、図５（ｂ）に示す管理テーブルでは、シリアル番号のみならず、ネットワーク上の位置（ＩＰアドレス）および装置の種類が格納されている。すなわち、上述したように、送受信部２２１が、シリアル番号を基にネットワーク上の位置および装置の種類を取得し、接続設定部２２７が、これらネットワーク上の位置および装置の種類を管理テーブルに格納する。
より具体的には、本実施の形態では、シリアル番号「ａａａｂｂ１」のネットワーク上の位置が「１９２．１６８．０．１０」であり、その装置の種類は「light」である。シリアル番号「ａａａｂｂ２」のネットワーク上の位置が「１９２．１６８．０．１１」であり、その装置の種類は「air conditioner」である。
また、シリアル番号「ｄｄｅｅ」のネットワーク上の位置が「１９２．１６８．０．１２」であり、その装置の種類は「temperature sensor」で、シリアル番号「ｆｇ」のネットワーク上の位置が「１９２．１６８．０．１３」であり、その装置の種類は「humidity sensor」である。
【００３３】
これら「ネットワーク上の位置」の情報および「装置の種類」の情報は、シリアル番号を基に管理サーバ１０から取得されるものである。すなわち、管理サーバ１０は、オフィス環境管理サービスに接続される端末装置を事前に認識しており、画像形成装置２００の送受信部２２１（図３参照）からのシリアル番号を用いた要求に応じ、シリアル番号に対応する情報（例えばネットワーク上の位置情報等）を返信する。
そして、画像形成装置２００において、接続設定部２２７は、送受信部２２１により受信した管理サーバ１０からの情報を、管理テーブルに格納して記憶部２２５に記憶する。こうして、被制御装置３０および状況把握装置５０が、画像形成装置２００と紐付けされる。これにより、画像形成装置２００において、被制御装置３０および状況把握装置５０のネットワーク上の位置を簡単に設定できる。
【００３４】
なお、管理テーブルに格納する情報は、これに限られず、他の情報例えば物理的な位置（被制御装置３０および状況把握装置５０のオフィス内の位置）などを格納することも考えられる。すなわち、管理サーバ１０は、画像形成装置２００の送受信部２２１（図３参照）からのシリアル番号を用いた要求に応じ、シリアル番号に対応する物理的な位置情報を返信する。そして、画像形成装置２００において、接続設定部２２７は、送受信部２２１により受信した管理サーバ１０からの物理的な位置情報を、管理テーブルに格納して記憶部２２５に記憶する。これにより、画像形成装置２００において、被制御装置３０および状況把握装置５０の物理的な位置を簡単に設定できる。
このように、管理サーバ１０から送信され管理テーブルに格納される情報として、ネットワーク上の位置情報を含む例や、ネットワーク上の位置情報のほかに物理的な位置情報をさらに含む例があるが、ネットワーク上の位置情報を含まず、物理的な位置情報を含む例が考えられる。
また、管理テーブルに格納する情報として、「装置の種類」の情報を格納しない例も考えられる。
【００３５】
次に、記憶部２２５に記憶される管理テーブルの内容をレポート出力する場合について説明する。かかるレポート出力は、画像形成装置２００の出力部２２２（図３参照）により記録材Ｐ（図６参照）に印字される。なお、かかる記録材Ｐへの印字は、画像形成装置２００に対して要求があったときに行う場合のほか、記憶部２２５に記憶されている管理テーブル（図５（ａ）または（ｂ）参照）が作成された段階で行う場合が考えられる。
【００３６】
図６は、画像形成装置２００により記録材Ｐに出力されたレポート例を示す図である。
図６に示す記録材Ｐには、上述の管理テーブル（図５（ｂ））の内容を含んで印字される。すなわち、紐付け結果がレポート出力される。具体的には、出力日時が印字され、さらに、管理テーブルにおける管理番号、シリアル番号、ネットワーク上の位置、装置の種類が印字される。
【００３７】
なお、本発明を実施の形態を用いて説明したが、本発明の技術的範囲は上記実施の形態には限定されない。本発明の精神及び範囲から逸脱することなく様々に変更したり代替態様を採用したりすることが可能なことは、当業者に明らかである。
【符号の説明】
【００３８】
１０…管理サーバ、３０…被制御装置、５０…状況把握装置、２００…画像形成装置、２０７…画像形成部、２０８…画像読み取り部、２２１…送受信部、２２６…画像処理部、２２７…接続設定部
【図１】
2018037976.tif 000003
【図２】
2018037976.tif 000004
【図３】
2018037976.tif 000005
【図４】
2018037976.tif 000006
【図５】
2018037976.tif 000007
【図６】
2018037976.tif 000008